【手続補正書】
【提出日】平成29年6月14日(2017.6.14)
【手続補正１】
【補正対象書類名】特許請求の範囲
【補正対象項目名】全文
【補正方法】変更
【補正の内容】
【特許請求の範囲】
【請求項１】
被検眼の眼底を撮像する撮像モードを設定する設定手段と、
前記設定された撮像モードに対応する前記眼底の複数の領域を順番に連続して撮像する撮像手段と、
前記複数の領域の算出済領域の収差補正値に関する情報を用いて、前記複数の領域の対象領域の収差補正値の初期値を決定する初期値決定手段と、
前記対象領域の収差を測定する測定手段と、
前記対象領域の収差補正を行う収差補正手段と、
前記初期値に関する情報を用いて前記収差補正手段の第１の制御を実行し、前記第１の制御を実行した後に前記測定された収差に関する情報を用いて前記収差補正手段の第２の制御を実行する制御手段と、
を有することを特徴とする眼底撮像装置。
【請求項２】
前記算出済領域と前記対象領域との間の距離に関する情報を用いて、参照すべき参照領域を決定する参照領域決定手段をさらに有し、
前記初期値決定手段は、前記参照領域の前記収差補正値に関する情報を用いて、前記対象領域の前記収差補正値の前記初期値を決定することを特徴とする請求項１に記載の眼底撮像装置。
【請求項３】
前記参照領域決定手段は、前記距離が最小となる前記算出済領域を前記参照領域として決定し、
前記初期値決定手段は、前記参照領域の前記収差補正値を、前記対象領域の前記収差補正値の前記初期値として決定することを特徴とする請求項２に記載の眼底撮像装置。
【請求項４】
前記初期値決定手段は、各参照領域の前記収差補正値及び前記距離に関する情報を用いて、前記対象領域の前記収差補正値の前記初期値を決定することを特徴とする請求項２に記載の眼底撮像装置。
【請求項５】
前記初期値決定手段は、前記距離に応じて重み付けされた、各参照領域の前記収差補正値の和を前記対象領域の前記収差補正値の前記初期値として決定することを特徴とする請求項４に記載の眼底撮像装置。
【請求項６】
前記初期値決定手段は、前記算出済領域と前記対象領域との間の距離及び前記算出済領域の前記収差補正値に関する情報を用いて、前記対象領域の前記収差補正値の前記初期値を決定することを特徴とする請求項１に記載の眼底撮像装置。
【請求項７】
前記初期値決定手段は、直前に撮像された前記算出済領域の前記収差補正値を、前記対象領域の前記収差補正値の前記初期値として決定することを特徴とする請求項１に記載の眼底撮像装置。
【請求項８】
前記制御手段は、前記対象領域を変更する期間は前記収差補正を行わないように、前記収差補正手段を制御することを特徴とする請求項１乃至７の何れか１項に記載の眼底撮像装置。
【請求項９】
被検眼の眼底を撮像する撮像モードを設定する設定手段と、
前記設定された撮像モードに対応する前記眼底の複数の領域を順番に連続して撮像する撮像手段と、
前記複数の領域の第１の領域の収差補正値を、前記複数の領域の第２の領域の収差補正値の初期値として決定する初期値決定手段と、
前記複数の領域の収差を前記順番に連続して測定する測定手段と、
前記複数の領域の収差補正を前記順番に連続して行う収差補正手段と、
前記初期値に関する情報を用いて前記第２の領域の収差補正を行うように前記収差補正手段の第１の制御を実行し、前記第１の制御を実行した後に前記測定された収差に関する情報を用いて前記第２の領域の収差補正を行うように前記収差補正手段の第２の制御を実行する制御手段と、
を有することを特徴とする眼底撮像装置。
【請求項１０】
前記測定手段による前記第１の領域に対する測定結果に関する情報を用いて、前記第１の領域の収差補正値を算出する算出手段を更に有し、
前記初期値決定手段は、前記算出手段により算出された前記第１の領域の前記収差補正値を、前記第２の領域の前記収差補正値の前記初期値として決定することを特徴とする請求項９に記載の眼底撮像装置。
【請求項１１】
前記初期値決定手段は、前記複数の領域のうち第３の領域と前記第２の領域との間の距離が閾値未満である場合に、前記第２の領域の収差補正値を前記第３の領域の前記収差補正値の前記初期値として決定し、
前記測定手段は、前記第３の領域の前記初期値に関する情報を用いて、前記第３の領域の収差を測定し、
前記算出手段は、前記測定手段による前記第３の領域に対する測定結果に関する情報を用いて、前記第３の領域の収差補正値を算出することを特徴とする請求項１０に記載の眼底撮像装置。
【請求項１２】
前記初期値決定手段は、前記複数の領域のうち第３の領域と前記第２の領域との間の距離が閾値以上である場合に、前記第２の領域の収差補正値及び前記第１の領域の収差補正値に関する情報を用いて、前記第３の領域の前記収差補正値の前記初期値を決定し、
前記測定手段は、前記第３の領域の前記初期値に関する情報を用いて、前記第３の領域の収差を測定し、
前記算出手段は、前記測定手段による前記第３の領域に対する測定結果に関する情報を用いて、前記第３の領域の収差補正値を算出することを特徴とする請求項１０又は１１に記載の眼底撮像装置。
【請求項１３】
被検眼の眼底を撮像する撮像モードを設定する設定手段と、
前記設定された撮像モードに対応する前記眼底の複数の領域を順番に連続して撮像する撮像手段と、
前記複数の領域の収差を前記順番に連続して測定した結果に関する情報を用いて前記複数の領域の収差補正を前記順番に連続して行うように、収差補正手段を制御する制御手段と、
を有することを特徴とする眼底撮像装置。
【請求項１４】
前記撮像手段は、前記撮像モードに対応する同一の領域の撮像枚数に関する情報を用いて、前記複数の領域を前記順番に連続して撮像することを特徴とする請求項１乃至１３の何れか１項に記載の眼底撮像装置。
【請求項１５】
測定光を走査する走査手段と、
前記測定光を照射した前記眼底からの戻り光を検出する検出手段と、を更に有し、
前記撮像手段は、前記検出された戻り光を用いて前記眼底を撮像し、
前記複数の領域における撮像される領域の変更は、前記測定光を走査する走査手段の制御または固視灯の点灯位置の変更により実行されることを特徴とする請求項１乃至１４の何れか１項に記載の眼底撮像装置。
【請求項１６】
前記設定された撮像モードが異なる場合には、前記複数の領域の位置又は数が異なることを特徴とする請求項１乃至１５の何れか１項に記載の眼底撮像装置。
【請求項１７】
眼底撮像装置が実行する収差補正方法であって、
被検眼の眼底を撮像する撮像モードを設定する設定ステップと、
前記設定された撮像モードに対応する前記眼底の複数の領域を順番に連続して撮像する撮像ステップと、
前記複数の領域の算出済領域の収差補正値に関する情報を用いて、前記複数の領域の対象領域の収差補正値の初期値を決定する初期値決定ステップと、
前記対象領域の収差を測定する測定ステップと、
前記初期値に関する情報を用いて、収差補正に係る第１の制御を実行する第１の制御ステップと、
前記第１の制御を実行した後に測定手段により測定された収差に関する情報を用いて、収差補正に係る第２の制御を実行する第２の制御ステップと、
を含むことを特徴とする収差補正方法。
【請求項１８】
眼底撮像装置が実行する収差補正方法であって、
被検眼の眼底を撮像する撮像モードを設定する設定ステップと、
前記設定された撮像モードに対応する前記眼底の複数の領域を順番に連続して撮像する撮像ステップと、
前記複数の領域の第１の領域の収差補正値を、前記複数の領域の第２の領域の収差補正値の初期値として決定する初期値決定ステップと、
前記複数の領域の収差を前記順番に連続して測定する測定ステップと、
前記初期値に関する情報を用いて前記第２の領域の収差補正を行うように第１の制御を実行する第１の制御ステップと、
前記第１の制御を実行した後に測定手段により測定された収差に関する情報を用いて前記第２の領域の収差補正を行うように第２の制御を実行する第２の制御ステップと、
を含むことを特徴とする収差補正方法。
【請求項１９】
眼底撮像装置が実行する収差補正方法であって、
被検眼の眼底を撮像する撮像モードを設定するステップと、
前記設定された撮像モードに対応する前記眼底の複数の領域を順番に連続して撮像するステップと、
前記複数の領域の収差を前記順番に連続して測定した結果に関する情報を用いて前記複数の領域の収差補正を前記順番に連続して行うステップと、
を含むことを特徴とする収差補正方法。
【請求項２０】
コンピュータに、請求項１７乃至１９の何れか１項に記載の収差補正方法の各ステップを実行させるためのプログラム。
【手続補正２】
【補正対象書類名】明細書
【補正対象項目名】０００９
【補正方法】変更
【補正の内容】
【０００９】
そこで、本発明に係る眼底撮像装置の一つは、被検眼の眼底を撮像する撮像モードを設定する設定手段と、前記設定された撮像モードに対応する前記眼底の複数の領域を順番に連続して撮像する撮像手段と、前記複数の領域の算出済領域の収差補正値に関する情報を用いて、前記複数の領域の対象領域の収差補正値の初期値を決定する初期値決定手段と、前記対象領域の収差を測定する測定手段と、前記対象領域の収差補正を行う収差補正手段と、前記初期値に関する情報を用いて前記収差補正手段の第１の制御を実行し、前記第１の制御を実行した後に前記測定された収差に関する情報を用いて前記収差補正手段の第２の制御を実行する制御手段と、を有することを特徴とする。